(57)【特許請求の範囲】
【請求項１】
受信周波数と局部周波数とを周波数混合して受信中間周波数を生成する受信系を備えた受信装置において、
連続受信用の複数の発振周波数を発振する連続受信用の複数の発振手段と、
前記連続受信用の複数の発振周波数を周波数混合して連続受信用の局部周波数を生成する連続受信用の混合手段と、
周辺ゾーン受信電界レベル測定用の複数の発振周波数を発振する周辺ゾーン受信電界レベル測定用の複数の発振手段と、
前記周辺ゾーン受信電界レベル測定用の複数の発振周波数を周波数混合して周辺ゾーン受信電界レベル測定用の局部周波数を生成する周辺ゾーン受信電界レベル測定用の混合手段と、
連続受信用の受信周波数と前記連続受信用の局部周波数とを周波数混合して連続受信用の受信中間周波数を生成し、周辺ゾーン受信電界レベル測定用の受信周波数と前記周辺ゾーン受信電界レベル測定用の局部周波数とを周波数混合して周辺ゾーン受信電界レベル測定用の受信中間周波数を生成する受信用の混合手段と、
前記連続受信用の混合手段から出力される前記連続受信用の局部周波数が前記受信用の混合手段に与えられる第１の切替状態と、前記周辺ゾーン受信電界レベル測定用の混合手段から出力される前記周辺ゾーン受信電界レベル測定用の局部周波数が前記受信用の混合手段に与えられる第２の切替状態とを切替可能な切替手段と、
前記連続受信用の混合手段の動作および前記周辺ゾーン受信電界レベル測定用の混合手段の動作を制御する制御手段とを備え、
前記連続受信用の複数の発振手段および前記周辺ゾーン受信電界レベル測定用の複数の発振手段の全てはそれぞれが他の発振手段のいずれとも独立して設けられ、
前記制御手段は、受信周波数が前記連続受信用の受信周波数である際には、前記切替手段を前記第１の切替状態に切替えると共に、前記連続受信用の混合手段を動作させ、且つ、前記周辺ゾーン受信電界レベル測定用の混合手段の動作を停止させ、受信周波数が前記周辺ゾーン受信電界レベル測定用の受信周波数である際には、前記切替手段を前記第２の切替状態に切替えると共に、前記連続受信用の混合手段の動作を停止させ、且つ、前記周辺ゾーン受信電界レベル測定用の混合手段を動作させることを特徴とする受信装置。
【請求項２】
受信周波数と局部周波数とを周波数混合して受信中間周波数を生成する受信系を複数備えた受信装置において、
前記複数の受信系のうちの一の受信系に設けられ、一の複数の発振周波数を発振する一の複数の発振手段と、
前記一の受信系に設けられ、前記一の複数の発振周波数を周波数混合して一の局部周波数を生成する一の混合手段と、
前記一の受信系に設けられ、一の受信周波数と前記一の局部周波数とを周波数混合して一の受信中間周波数を生成する一の受信用の混合手段と、
前記複数の受信系のうちの他の受信系に設けられ、他の複数の発振周波数を発振する他の複数の発振手段と、
前記他の受信系に設けられ、前記他の複数の発振周波数を周波数混合して他の局部周波数を生成する他の混合手段と、
前記他の受信系に設けられ、他の受信周波数と前記他の局部周波数とを周波数混合して他の受信中間周波数を生成する他の受信用の混合手段と、
前記一の混合手段の動作および前記他の混合手段の動作を制御する制御手段とを備え、
前記一の複数の発振手段および前記他の複数の発振手段の全てはそれぞれが他の発振手段のいずれとも独立して設けられ、
前記制御手段は、前記一の受信周波数が連続受信用の受信周波数である際には、前記一の混合手段が前記一の局部周波数を連続受信用の局部周波数として生成して前記一の受信用の混合手段が連続受信用の受信中間周波数を生成するように前記一の混合手段を動作させ、且つ、前記他の混合手段の動作を停止させ、前記一の受信周波数が周辺ゾーン受信電界レベル測定用の受信周波数である際には、前記一の混合手段が前記一の局部周波数を周辺ゾーン受信電界レベル測定用の局部周波数として生成して前記一の受信用の混合手段が周辺ゾーン受信電界レベル測定用の受信中間周波数を生成するように前記一の混合手段を動作させ、且つ、前記他の混合手段の動作を停止させることを特徴とする受信装置。
【請求項３】
請求項１または２記載の受信装置と、
前記受信装置が生成した受信中間周波数を復調する復調手段とを備えたことを特徴とする無線通信装置。
【発明の詳細な説明】
【０００１】
【発明の属する技術分野】
本発明は、受信周波数と局部周波数とを周波数混合して受信中間周波数を生成する受信系を一つあるいは複数備えた受信装置および上記受信装置を備えた無線通信装置に関する。
【０００２】
【発明が解決しようとする課題】
移動通信システムにおいて、移動局は、通信中に、周辺ゾーンの各無線基地局から送信される電波の受信電界レベルを測定し、その測定結果に基づいてゾーン移行先を決定するようになっている。
【０００３】
さて、移動局は、情報信号を連続的に受信する連続受信する際にも、周辺ゾーンの受信電界レベルを測定するようになっている。ところで、連続受信では、情報信号における１パケットのうちで周辺ゾーン受信電界レベル測定に割当てられているビット数が少なく、つまり、周辺ゾーン受信電界レベル測定に割当てられている時間は、数１００μ秒という極めて短い時間である。
【０００４】
そのため、一つの局部発振器が連続受信用の局部発振周波数から周辺ゾーン受信電界レベル測定用の局部発振周波数に切替えて、周辺ゾーン受信電界レベル測定用の局部発振周波数を発振し、次いで、周辺ゾーン受信電界レベル測定用の局部発振周波数から連続受信用の局部発振周波数に切替えて、再度、連続受信用の局部発振周波数を発振することは、このような極めて短い時間単位では不可能であるという技術的な理由から、連続受信する際の周辺ゾーン受信電界レベル測定を実現する従来技術の一つとしては、連続受信用の局部発振周波数を発振する局部発振器と、周辺ゾーン受信電界レベル測定用の局部発振周波数を発振する局部発振器との２つの局部発振器を備えた構成が考えられている。
【０００５】
図４は、そのような従来技術の構成を概略的に示している。図４において、連続受信用の局部発振器１および周辺ゾーン受信電界レベル測定用の局部発振器２は、それぞれ連続受信用の局部発振周波数ｆa および周辺ゾーン受信電界レベル測定用の局部発振周波数ｆb を例えば６８０．００〜６９８．００ＭＨｚの周波数帯域幅で発振するようになっている。
【０００６】
スイッチ回路３は、制御回路４から与えられる切替指令に基づいて、上記連続受信用の局部発振器１が発振する局部発振周波数ｆa が受信用のミキサ回路（混合回路）５に与えられる第１の切替状態（図４中、実線にて示す状態）と、上記周辺ゾーン受信電界レベル測定用の局部発振器２が発振する局部発振周波数ｆb が受信用のミキサ回路５に与えられる第２の切替状態（図４中、二点鎖線にて示す状態）とを切替えるようになっている。
【０００７】
この構成によれば、制御回路４は、連続受信する際には、スイッチ回路３を第１の切替状態に切替える。これにより、例えば８１０．００ＭＨｚの連続受信用の電波がアンテナ６に捕捉されると、８１０．００ＭＨｚの連続受信用の受信周波数ｆraと、連続受信用の局部発振器１が発振した例えば６８０．００ＭＨｚの連続受信用の局部発振周波数ｆa とがミキサ回路５において周波数混合され、例えば１３０．００ＭＨｚの連続受信用の受信中間周波数ｆra1 が生成されるようになる。
【０００８】
一方、制御回路４は、周辺ゾーン受信電界レベル測定する際には、スイッチ回路３を第２の切替状態に切替える。これにより、例えば８２８．００ＭＨｚの周辺ゾーン受信電界レベル測定用の電波がアンテナ６に捕捉されると、８２８．００ＭＨｚの周辺ゾーン受信電界レベル測定用の受信周波数ｆrbと、周辺ゾーン受信電界レベル測定用の局部発振器２が発振した例えば６９８．００ＭＨｚの周辺ゾーン受信電界レベル測定用の局部発振周波数ｆb とがミキサ回路５において周波数混合され、例えば１３０．００ＭＨｚの周辺ゾーン受信電界レベル測定用の受信中間周波数ｆrb1 が生成されるようになる。
【０００９】
ところで、移動局が携帯電話装置である場合には、近年、装置の小形化が要求されているという事情から、上記連続受信用の局部発振器１と周辺ゾーン受信電界レベル測定用の局部発振器２とは、比較的接近した位置に実装されている。また、各々の局部発振器１，２が発振する局部発振周波数ｆa ，ｆb は、電界強度が比較的強く、さらには、それら局部発振周波数ｆa ，ｆb は、周波数帯域幅が同じである。
【００１０】
このような事情から、上記した従来技術では、連続受信する際、つまり、連続受信用の受信周波数ｆraと連続受信用の局部発振周波数ｆa とが周波数混合される際には、周辺ゾーン受信電界レベル測定用の局部発振器２が発振した局部発振周波数ｆb が空間的に回り込んでしまう虞があり、そうなると、連続受信用の受信中間周波数ｆra1 に悪影響が及ぼされてしまい、連続受信に支障を来すという問題がある。
【００１１】
また、これとは逆に、周辺ゾーン受信電界レベル測定する際、つまり、周辺ゾーン受信電界レベル測定用の受信周波数ｆrbと周辺ゾーン受信電界レベル測定用の局部発振周波数ｆb とが周波数混合される際には、連続受信用の局部発振器１が発振した局部発振周波数ｆa が空間的に回り込んでしまう虞もあり、そうなると、周辺ゾーン受信電界レベル測定用の受信中間周波数ｆrb1 に悪影響が及ぼされてしまい、周辺ゾーンの受信電界レベル測定に支障を来すという問題もある。
【００１２】
そこで、このような問題を解決するために、連続受信する際には、周辺ゾーン受信電界レベル測定用の局部発振器２の動作を停止させ、一方、周辺ゾーン受信電界レベル測定する際には、連続受信用の局部発振器１の動作を停止させることが考えられる。しかしながら、一般的には、局部発振器を動作、動作停止させる制御は、数ｍ秒単位が限界であり、これら局部発振器１，２を数１００μ秒という極めて短い時間単位で動作、動作停止させることは技術的に不可能である。したがって、このような構成（図４に示した構成）で、連続受信および周辺ゾーンの受信電界レベル測定を良好に実現することは、現実的には不可能である。
【００１３】
本発明は、上記した事情に鑑みてなされたものであり、その目的は、連続受信を良好にすることができ、また、周辺ゾーンの受信電界レベル測定を良好にすることができる受信装置および上記受信装置を備えた無線通信装置を提供することにある。
【００１４】
【課題を解決するための手段】
請求項１記載の受信装置によれば、制御手段は、受信周波数が連続受信用の受信周波数である際、つまり、連続受信する際には、切替手段を第１の切替状態に切替えると共に、連続受信用の混合手段を動作させ、且つ、周辺ゾーン受信電界レベル測定用の混合手段の動作を停止させる。一方、制御手段は、受信周波数が周辺ゾーン受信電界レベル測定用の受信周波数である際、つまり、周辺ゾーン受信電界レベル測定する際には、切替手段を第２の切替状態に切替えると共に、連続受信用の混合手段の動作を停止させ、且つ、周辺ゾーン受信電界レベル測定用の混合手段を動作させる。
【００１５】
すなわち、このものによれば、連続受信する際には、連続受信用の複数の発振周波数が連続受信用の混合手段において周波数混合されて連続受信用の局部周波数が生成され、そして、連続受信用の受信周波数と、このようにして生成された連続受信用の局部周波数とが受信用の混合手段において周波数混合されて連続受信用の受信中間周波数が生成されるようになる。
【００１６】
この際、周辺ゾーン受信電界レベル測定用の混合手段が動作を停止していることから、周辺ゾーン受信電界レベル測定用の局部周波数が出力されることはなく、これにより、周辺ゾーン受信電界レベル測定用の局部周波数が空間的に回り込むことを未然に回避することができ、連続受信を良好にすることができる。
【００１７】
一方、周辺ゾーン受信電界レベル測定する際には、周辺ゾーン受信電界レベル測定用の複数の発振周波数が周辺ゾーン受信電界レベル測定用の混合手段において周波数混合されて周辺ゾーン受信電界レベル測定用の局部周波数が生成され、そして、周辺ゾーン受信電界レベル測定用の受信周波数と、このようにして生成された周辺ゾーン受信電界レベル測定用の局部周波数とが受信用の混合手段において周波数混合されて周辺ゾーン受信電界レベル測定用の受信中間周波数が生成されるようになる。
【００１８】
この際、連続受信用の混合手段が動作を停止していることから、連続受信用の局部周波数が出力されることはなく、これにより、連続受信用の局部周波数が空間的に回り込むことを未然に回避することができ、周辺ゾーン受信電界レベル測定を良好にすることができる。
【００１９】
請求項２記載の受信装置によれば、制御手段は、一の受信周波数が連続受信用の受信周波数である際、つまり、連続受信する際には、一の混合手段が一の局部周波数を連続受信用の局部周波数として生成し、一の受信用の混合手段が連続受信用の受信中間周波数を生成するように一の混合手段を動作させ、且つ、他の混合手段の動作を停止させる。一方、一の受信周波数が周辺ゾーン受信電界レベル測定用の受信周波数である際、つまり、周辺ゾーン受信電界レベル測定する際には、一の混合手段が一の局部周波数を周辺ゾーン受信電界レベル測定用の局部周波数として生成し、一の受信用の混合手段が周辺ゾーン受信電界レベル測定用の受信中間周波数を生成するように一の混合手段を動作させ、且つ、他の混合手段の動作を停止させる。
【００２０】
すなわち、このものによれば、連続受信する際には、一の複数の発振周波数が一の混合手段において周波数混合されて一の局部周波数が連続受信用の局部周波数として生成され、そして、一の受信周波数である連続受信用の受信周波数と、このようにして生成された連続受信用の局部周波数とが一の受信用の混合手段において周波数混合されて連続受信用の受信中間周波数が生成されるようになる。この際、他の混合手段が動作を停止していることから、他の局部周波数である周辺ゾーン受信電界レベル測定用の局部周波数が出力されることはなく、これにより、周辺ゾーン受信電界レベル測定用の局部周波数が空間的に回り込むことを未然に回避することができ、連続受信を良好にすることができる。
【００２１】
一方、周辺ゾーン受信電界レベル測定する際には、一の複数の発振周波数が一の混合手段において周波数混合されて一の局部周波数が周辺ゾーン受信電界レベル測定用の局部周波数として生成され、そして、一の受信周波数である周辺ゾーン受信電界レベル測定用の受信周波数と、このようにして生成された周辺ゾーン受信電界レベル測定用の局部周波数とが一の受信用の混合手段において周波数混合されて周辺ゾーン受信電界レベル測定用の受信中間周波数が生成されるようになる。
【００２２】
この際、他の混合手段が動作を停止していることから、他の局部周波数である連続受信用の局部周波数が出力されることはなく、これにより、連続受信用の局部周波数が空間的に回り込むことを未然に回避することができ、周辺ゾーン受信電界レベル測定を良好にすることができる。
【００２３】
請求項３記載の無線通信装置によれば、受信装置は、上記した処理を実行することにより、受信中間周波数として連続受信用の受信中間周波数および周辺ゾーン受信電界レベル測定用の受信中間周波数を生成し、そして、復調手段は、このようにして受信装置が生成した連続受信用の受信中間周波数および周辺ゾーン受信電界レベル測定用の受信中間周波数を復調する。
すなわち、このものによれば、連続受信を良好にすることができ、また、周辺ゾーン受信電界レベル測定を良好にすることができる例えば携帯電話装置などの無線通信装置を提供することができる。
【００２４】
【発明の実施の形態】
（第１の実施の形態）
以下、本発明を携帯電話装置に適用した第１実施例について、図１および図２を参照して説明する。
まず、図１は、携帯電話装置における受信部の要部を概略的に示している。携帯電話装置１１において、連続受信用の局部周波数出力部１２は、２個の局部発振器１３，１４（本発明でいう連続受信用の複数の発振手段）および１個のミキサ回路１５（本発明でいう連続受信用の混合手段）から構成されている。
【００２５】
局部発振器１３は、局部発振周波数ｆw を発振するようになっており、また、局部発振器１４は、局部発振周波数ｆx を発振するようになっている。そして、ミキサ回路１５は、局部発振器１３が発振した局部発振周波数ｆw と局部発振器１４が発振した局部発振周波数ｆx とを周波数混合し、連続受信用の局部周波数ｆa を生成して出力するようになっている。この場合、連続受信用の局部周波数ｆa は、例えば６８０．００〜６９８．００ＭＨｚの周波数帯域幅であり、局部発振周波数ｆw ，ｆx は、その連続受信用の局部周波数ｆa の周波数帯域幅に対応し、且つ、他の周波数に悪影響を与えないような周波数帯域幅である。
【００２６】
周辺ゾーン受信電界レベル測定用の局部周波数出力部１６は、２個の局部発振器１７，１８（本発明でいう周辺ゾーン受信電界レベル測定用の複数の発振手段）および１個のミキサ回路１９（本発明でいう周辺ゾーン受信電界レベル測定用の混合手段）から構成されている。
【００２７】
局部発振器１７は、局部発振周波数ｆy を発振するようになっており、また、局部発振器１８は、局部発振周波数ｆz を発振するようになっている。そして、ミキサ回路１９は、局部発振器１７が発振した局部発振周波数ｆy と局部発振器１８が発振した局部発振周波数ｆz とを周波数混合し、周辺ゾーン受信電界レベル測定用の局部周波数ｆb を生成して出力するようになっている。この場合、周辺ゾーン受信電界レベル測定用の局部周波数ｆb は、上記連続受信用の局部周波数ｆa と同様に、例えば６８０．００〜６９８．００ＭＨｚの周波数帯域幅であり、局部発振周波数ｆy ，ｆz は、その周辺ゾーン受信電界レベル測定用の局部周波数ｆb に対応し、且つ、他の周波数に悪影響を与えないような周波数帯域幅である。
【００２８】
スイッチ回路２０（本発明でいう切替手段）は、上記連続受信用のミキサ回路１５から出力される連続受信用の局部周波数ｆa が受信用のミキサ回路２１（本発明でいう受信用の混合手段）に与えられる第１の切替状態（図１中、実線にて示す状態）と、上記周辺ゾーン受信電界レベル測定用のミキサ回路１９から出力される周辺ゾーン受信電界レベル測定用の局部周波数ｆb が受信用のミキサ回路２１に与えられる第２の切替状態（図１中、二点鎖線にて示す状態）とを切替えるようになっている。
【００２９】
アンテナ２２は、例えば８１０．００〜８２８．００ＭＨｚの周波数帯域幅の連続受信用の電波を捕捉した際には、８１０．００〜８２８．００ＭＨｚの連続受信用の受信周波数ｆraを生成し、その連続受信用の受信周波数ｆraを受信用のミキサ回路２１に出力するようになっている。
【００３０】
また、アンテナ２２は、例えば８１０．００〜８２８．００ＭＨｚの周波数帯域幅の周辺ゾーン受信電界レベル測定用の電波を捕捉した際には、８１０．００〜８２８．００ＭＨｚの周辺ゾーン受信電界レベル測定用の受信周波数ｆrbを生成し、その周辺ゾーン受信電界レベル測定用の受信周波数ｆrbを受信用のミキサ回路２１に出力するようになっている。尚、このアンテナ２２は、実際には、送信および受信を兼用するもので、図１では、送信周波数帯および受信周波数帯を分離するアンテナ共用器などは省略している。
【００３１】
ミキサ回路２１は、アンテナ２２から連続受信用の受信周波数ｆraが与えられると共に、連続受信用のミキサ回路１５から連続受信用の局部周波数ｆa がスイッチ回路２０を通じて与えられた際には、それら与えられた連続受信用の受信周波数ｆraと連続受信用の局部周波数ｆa とを周波数混合して連続受信用の受信中間周波数ｆra1 を生成して出力するようになっている。
【００３２】
また、ミキサ回路２１は、アンテナ２２から周辺ゾーン受信電界レベル測定用の受信周波数ｆrbが与えられると共に、周辺ゾーン受信電界レベル測定用のミキサ回路１９から周辺ゾーン受信電界レベル測定用の局部周波数ｆb がスイッチ回路２０を通じて与えられた際には、それら与えられた周辺ゾーン受信電界レベル測定用の受信周波数ｆrbと周辺ゾーン受信電界レベル測定用の局部周波数ｆb とを周波数混合して周辺ゾーン受信電界レベル測定用の受信中間周波数ｆrb1 を生成して出力するようになっている。
【００３３】
復調回路２３（本発明でいう復調手段）は、連続受信用の受信中間周波数ｆra1 および周辺ゾーン受信電界レベル測定用の受信中間周波数ｆrb1 がＳＡＷフィルタ（図示せず）や他のミキサ回路（図示せず）において所定処理されて与えられるようになっており、それら所定処理された受信中間周波数が与えられると、それら所定処理された受信中間周波数を復調するようになっている。
【００３４】
そして、制御回路２４（本発明でいう制御手段）は、上記スイッチ回路２０に切替指令を出力することにより、スイッチ回路２０を第１の切替状態と第２の切替状態とに制御するようになっており、また、上記連続受信用のミキサ回路１５および周辺ゾーン受信電界レベル測定用のミキサ回路１９に動作指令，動作停止指令を出力することにより、それらミキサ回路１５，１９を動作状態と動作停止状態とに制御するようになっている。尚、この場合、制御回路２４は、これらミキサ回路１５，１９を数μ秒単位で制御することが可能になっている。
【００３５】
次に、上記した構成の作用について、図２も参照して説明する。
制御回路２４は、連続受信する際には、スイッチ回路２０に切替指令を出力することにより、スイッチ回路２０を第１の切替状態に制御し、連続受信用のミキサ回路１５に動作指令を出力することにより、そのミキサ回路１５を動作状態に制御し、周辺ゾーン受信電界レベル測定用のミキサ回路１９に動作停止指令を出力することにより、そのミキサ回路１９を動作停止状態に制御する（図２中、〜t1，t2〜t3，t4〜t5，t6〜）。
【００３６】
これにより、連続受信用の局部発振器１３が発振した連続受信用の局部発振周波数ｆw と、連続受信用の局部発振器１４が発振した連続受信用の局部発振周波数ｆx とが連続受信用のミキサ回路１５において周波数混合され、連続受信用の局部周波数ｆa が生成されるようになる。
【００３７】
そして、例えば８１０．００ＭＨｚの連続受信用の電波がアンテナ２２に捕捉されると、８１０．００ＭＨｚの連続受信用の受信周波数ｆraと、このようにして生成された例えば６８０．００ＭＨｚの局部周波数ｆa とが受信用のミキサ回路２１において周波数混合され、例えば１３０．００ＭＨｚの連続受信用の受信中間周波数ｆra1 が生成されるようになる。この際、周辺ゾーン受信電界レベル測定用のミキサ回路１９は、制御回路２４から動作停止指令が与えられていることにより、動作を停止している。
【００３８】
一方、制御回路２４は、周辺ゾーン受信電界レベル測定する際には、スイッチ回路２０に切替指令を出力することにより、スイッチ回路２０を第２の切替状態に制御し、周辺ゾーン受信電界レベル測定用のミキサ回路１９に動作指令を出力することにより、そのミキサ回路１９を動作状態に制御し、連続受信用のミキサ回路１５に動作停止指令を出力することにより、そのミキサ回路１５を動作停止状態に制御する（図２中、t1〜t2，t3〜t4，t5〜t6）。
【００３９】
これにより、周辺ゾーン受信電界レベル測定用の局部発振器１７が発振した周辺ゾーン受信電界レベル測定用の局部発振周波数ｆy と、周辺ゾーン受信電界レベル測定用の局部発振器１８が発振した周辺ゾーン受信電界レベル測定用の局部発振周波数ｆz とが周辺ゾーン受信電界レベル測定用のミキサ回路１９において周波数混合され、周辺ゾーン受信電界レベル測定用の局部周波数ｆb が生成されるようになる。
【００４０】
そして、例えば８２８．００ＭＨｚの周辺ゾーン受信電界レベル測定用の電波がアンテナ２２に捕捉されると、８２８．００ＭＨｚの周辺ゾーン受信電界レベル測定用の受信周波数ｆrbと、このようにして生成された例えば６９８．００ＭＨｚの局部周波数ｆb とが受信用のミキサ回路２１において周波数混合され、例えば１３０．００ＭＨｚの周辺ゾーン受信電界レベル測定用の受信中間周波数ｆrb1 が生成されるようになる。この際、連続受信用のミキサ回路１５は、制御回路２４から動作停止指令が与えられていることにより、動作を停止している。
【００４１】
このように第１実施例によれば、連続受信用の局部周波数ｆa を出力する連続受信用の局部周波数出力部１２を２個の局部発振器１３，１４および１個のミキサ回路１５から構成すると共に、周辺ゾーン受信電界レベル測定用の局部周波数ｆb を出力する周辺ゾーン受信電界レベル測定用の局部周波数出力部１６を２個の局部発振器１７，１８および１個のミキサ回路１９から構成し、それらミキサ回路１５，１９の動作を制御することにより、連続受信する際には、周辺ゾーン受信電界レベル測定用の局部周波数ｆb の出力を停止させ、一方、周辺ゾーン受信電界レベル測定用する際には、連続受信用の局部周波数ｆa の出力を停止させる構成とした。
【００４２】
したがって、連続受信する際には、周辺ゾーン受信電界レベル測定用の局部周波数ｆb が空間的に回り込むことを未然に回避することができ、連続受信を良好にすることができ、一方、周辺ゾーン受信電界レベル測定する際には、連続受信用の局部周波数ｆa が空間的に回り込むを未然に回避することができ、周辺ゾーン受信電界レベル測定を良好にすることができる。
そして、このように連続受信を良好にでき、また、周辺ゾーン受信電界レベル測定を良好にできる携帯電話装置１１を提供することができる。
【００４３】
尚、以上は、移動局として携帯電話装置１１に適用した場合について説明したもので、この場合には、従来技術と比較すると、局部発振器１３，１４，１７，１８やミキサ回路１５，１９の個数が増える分、装置が大形化したり、重量が増加するという問題が発生するが、移動局として車載用電話装置に適用した場合には、自動車に搭載するという使用形態から、これら装置の大形化や重量の増加の影響は比較的小さく、その分、利点が大きくなる。
【００４４】
（第２の実施の形態）
次に、本発明の第２実施例について、図３を参照して説明する。尚、上述した第１実施例と同一部分には同一符号を付して説明を省略し、以下、異なる部分について説明する。
この第２実施例は、一つの受信系を備えて構成されている第１実施例とは異なって、複数の受信系を備えて構成されており、周知の検波後ダイバーシチを実現する構成となっている。
【００４５】
携帯電話装置３１は、第１の受信系３２（本発明でいう一の受信系）および第２の受信系３３（本発明でいう他の受信系）を備えて構成されている。まず、第１の受信系３２において、第１の局部周波数出力部３４は、２個の局部発振器３５，３６（本発明でいう一の複数の発振手段）および１個のミキサ回路３７（本発明でいう一の混合手段）から構成されている。
【００４６】
局部発振器３５は、局部発振周波数ｆw を発振するようになっており、また、局部発振器３６は、局部発振周波数ｆx を発振するようになっている。そして、ミキサ回路３７は、局部発振器３５が発振した局部発振周波数ｆw と局部発振器３６が発振した局部発振周波数ｆx とを周波数混合し、第１の局部周波数ｆp を生成して出力するようになっている。この場合、第１の局部周波数ｆp は、例えば６８０．００〜６９８．００ＭＨｚの周波数帯域幅であり、局部発振周波数ｆw ，ｆx は、その第１の局部周波数ｆp の周波数帯域幅に対応し、且つ、他の周波数に悪影響を与えないような周波数帯域幅である。
【００４７】
アンテナ３８は、第１の電波として例えば８１０．００〜８２８．００ＭＨｚの周波数帯域幅の連続受信用の電波を捕捉した際には、第１の受信周波数として８１０．００〜８２８．００ＭＨｚの連続受信用の受信周波数ｆraを生成し、その連続受信用の受信周波数ｆraをミキサ回路３９（本発明でいう一の受信用の混合手段）に出力するようになっている。
【００４８】
また、アンテナ３８は、第１の電波として例えば８１０．００〜８２８．００ＭＨｚの周波数帯域幅の周辺ゾーン受信電界レベル測定用の電波を捕捉した際には、第１の受信周波数として８１０．００〜８２８．００ＭＨｚの周辺ゾーン受信電界レベル測定用の受信周波数ｆrbを生成し、その周辺ゾーン受信電界レベル測定用の受信周波数ｆrbをミキサ回路３９に出力するようになっている。
【００４９】
ミキサ回路３９は、アンテナ３８から連続受信用の受信周波数ｆraが与えられると共に、ミキサ回路３７から第１の局部周波数ｆp が連続受信用の局部周波数として与えられた際には、それら与えられた連続受信用の受信周波数ｆraと連続受信用の局部周波数ｆp とを周波数混合して連続受信用の受信中間周波数ｆra1 を生成して出力するようになっている。
【００５０】
また、ミキサ回路３９は、アンテナ３８から周辺ゾーン受信電界レベル測定用の受信周波数ｆrbが与えられると共に、ミキサ回路３７から第１の局部周波数ｆp が周辺ゾーン受信電界レベル測定用の局部周波数として与えられた際には、それら与えられた周辺ゾーン受信電界レベル測定用の受信周波数ｆrbと周辺ゾーン受信電界レベル測定用の局部周波数ｆp とを周波数混合して周辺ゾーン受信電界レベル測定用の受信中間周波数ｆrb1 を生成して出力するようになっている。
【００５１】
復調回路４０は、連続受信用の受信中間周波数ｆra1 および周辺ゾーン受信電界レベル測定用の受信中間周波数ｆrb1 がＳＡＷフィルタ（図示せず）や他のミキサ回路（図示せず）において所定処理されて与えられるようになっており、それら所定処理された受信中間周波数が与えられると、それら所定処理された受信中間周波数を復調するようになっている。
【００５２】
第２の受信系３３は、以上に説明した第１の受信系３２と同様の構成である。すなわち、第２の局部周波数出力部４１は、２個の局部発振器４２，４３（本発明でいう他の複数の発振手段）および１個のミキサ回路４４（本発明でいう他の混合手段）から構成されている。
【００５３】
局部発振器４２は、局部発振周波数ｆy を発振するようになっており、また、局部発振器４３は、局部発振周波数ｆz を発振するようになっている。そして、ミキサ回路４４は、局部発振器４２が発振した局部発振周波数ｆy と局部発振器４３が発振した局部発振周波数ｆz とを周波数混合し、第２の局部周波数ｆq を生成して出力するようになっている。この場合、第２の局部周波数ｆq は、例えば６８０．００〜６９８．００ＭＨｚの周波数帯域幅であり、局部発振周波数ｆy ，ｆz は、その第２の局部周波数ｆq の周波数帯域幅に対応し、且つ、他の周波数に悪影響を与えないような周波数帯域幅である。
【００５４】
アンテナ４５は、第２の電波として例えば８１０．００〜８２８．００ＭＨｚの周波数帯域幅の連続受信用の電波を捕捉した際には、第２の受信周波数として８１０．００〜８２８．００ＭＨｚの連続受信用の受信周波数ｆraを生成し、その連続受信用の受信周波数ｆraをミキサ回路４６（本発明でいう他の受信用の混合手段）に出力するようになっている。
【００５５】
また、アンテナ４５は、第２の電波として例えば８１０．００〜８２８．００ＭＨｚの周波数帯域幅の周辺ゾーン受信電界レベル測定用の電波を捕捉した際には、第２の受信周波数として８１０．００〜８２８．００ＭＨｚの周辺ゾーン受信電界レベル測定用の受信周波数ｆrbを生成し、その周辺ゾーン受信電界レベル測定用の受信周波数ｆrbをミキサ回路４６に出力するようになっている。
【００５６】
ミキサ回路４６は、アンテナ４５から連続受信用の受信周波数ｆraが与えられると共に、ミキサ回路４４から第２の局部周波数ｆq が連続受信用の局部周波数として与えられた際には、それら与えられた連続受信用の受信周波数ｆraと連続受信用の局部周波数ｆq とを周波数混合して連続受信用の受信中間周波数ｆra1 を生成して出力するようになっている。
【００５７】
また、ミキサ回路４６は、アンテナ４５から周辺ゾーン受信電界レベル測定用の受信周波数ｆrbが与えられると共に、ミキサ回路４４から第２の局部周波数ｆq が周辺ゾーン受信電界レベル測定用の局部周波数として与えられた際には、それら与えられた周辺ゾーン受信電界レベル測定用の受信周波数ｆrbと周辺ゾーン受信電界レベル測定用の局部周波数ｆq とを周波数混合して周辺ゾーン受信電界レベル測定用の受信中間周波数ｆrb1 を生成して出力するようになっている。
【００５８】
復調回路４７は、連続受信用の受信中間周波数ｆra1 および周辺ゾーン受信電界レベル測定用の受信中間周波数ｆrb1 がＳＡＷフィルタ（図示せず）や他のミキサ回路（図示せず）において所定処理されて与えられるようになっており、それら所定処理された受信中間周波数が与えられると、それら所定処理された受信中間周波数を復調するようになっている。
【００５９】
そして、制御回路４８は、上記第１の受信系３２のミキサ回路３７および第２の受信系３３のミキサ回路４４に動作指令，動作停止指令を出力することにより、それらミキサ回路３７，４４を動作状態と動作停止状態とに制御するようになっている。尚、この場合、制御回路４８は、これらミキサ回路３７，４４を数μ秒単位で制御することが可能になっている。
【００６０】
次に、上記した構成の作用について説明する。
制御回路４８は、第１の受信系３２において、第１の電波として例えば８１０．００〜８２８．００ＭＨｚの周波数帯域幅の連続受信用の電波をアンテナ３８が捕捉し、つまり、連続受信する際には、第１の受信系３２のミキサ回路３７に動作指令を出力することにより、ミキサ回路３７が第１の局部周波数ｆp を連続受信用の局部周波数として出力するようにミキサ回路３７を動作状態に制御し、第２の受信系３３のミキサ回路４４に動作停止指令を出力することにより、ミキサ回路４４を動作停止状態に制御する。
【００６１】
これにより、第１の受信系３２において、例えば８１０．００ＭＨｚの連続受信用の電波がアンテナ３８に捕捉されると、８１０．００ＭＨｚの連続受信用の受信周波数ｆraと、このようにして生成された例えば６８０．００ＭＨｚの局部周波数ｆp とがミキサ回路３９において周波数混合され、例えば１３０．００ＭＨｚの連続受信用の受信中間周波数ｆra1 が生成されるようになる。この際、第２の受信系３３において、ミキサ回路４４は、制御回路４８から動作停止指令が与えられていることにより、動作を停止している。
【００６２】
一方、制御回路４８は、第１の受信系３２において、第１の電波として例えば８１０．００〜８２８．００ＭＨｚの周波数帯域幅の周辺ゾーン受信電界レベル測定用の電波をアンテナ３８が捕捉し、つまり、周辺ゾーン受信電界レベル測定する際には、第１の受信系３２のミキサ回路３７に動作指令を出力することにより、ミキサ回路３７が第１の局部周波数ｆp を周辺ゾーン受信電界レベル測定用の局部周波数として出力するようにミキサ回路３７を動作状態に制御し、第２の受信系３３のミキサ回路４４に動作停止指令を出力することにより、ミキサ回路４４を動作停止状態に制御する。
【００６３】
これにより、第１の受信系３２において、例えば８２８．００ＭＨｚの周辺ゾーン受信電界レベル測定用の電波がアンテナ３８に捕捉されると、８２８．００ＭＨｚの周辺ゾーン受信電界レベル測定用の受信周波数ｆrbと、このようにして生成された例えば６９８．００ＭＨｚの局部周波数ｆp とがミキサ回路３９において周波数混合され、例えば１３０．００ＭＨｚの周辺ゾーン受信電界レベル測定用の受信中間周波数ｆrb1 が生成されるようになる。この際、第２の受信系３３において、ミキサ回路４４は、制御回路４８から動作停止指令が与えられていることにより、動作を停止している。
尚、以上は、第１の受信系３２について説明したものであるが、第２の受信系３３も、これと同様に作用する。
【００６４】
このように第２実施例によれば、２つの受信系を備えた検波後ダイバーシチを実現する構成において、第１の受信系３２において第１の局部周波数ｆp を出力する第１の局部周波数出力部３４を２個の局部発振器３５，３６および１個のミキサ回路３７から構成すると共に、第２の受信系３３において第２の局部周波数ｆq を出力する第２の局部周波数出力部４１を２個の局部発振器４２，４３および１個のミキサ回路４４から構成し、それらミキサ回路３７，４４の動作を制御することにより、第１の受信系３２で連続受信あるいは周辺ゾーン受信電界レベル測定する際には、第２の受信系で第２の局部周波数ｆq の出力を停止させ、一方、第２の受信系３３で連続受信あるいは周辺ゾーン受信電界レベル測定する際には、第１の受信系で第１の局部周波数ｆp の出力を停止させる構成とした。
【００６５】
したがって、第１の受信系で連続受信あるいは周辺ゾーン受信電界レベル測定する際には、第２の局部周波数ｆq が空間的に回り込むことを未然に回避することができ、連続受信あるいは周辺ゾーン受信電界レベル測定を良好にすることができ、一方、第２の受信系で連続受信あるいは周辺ゾーン受信電界レベル測定する際には、第１の局部周波数ｆp が空間的に回り込むことを未然に回避することができ、連続受信あるいは周辺ゾーン受信電界レベル測定を良好にすることができる。
【００６６】
そして、このように連続受信を良好にでき、また、周辺ゾーン受信電界レベル測定を良好にできる携帯電話装置３１を提供することができる。
【００６７】
（その他の実施の形態）
本発明は、上記した実施例にのみ限定されるものでなく、次のように変形または拡張することができる。
無線通信装置としては、携帯電話装置や車載用電話装置に限らず、連続受信するものであれば、他のものであっても良い。
【００６８】
第１実施例において、連続受信用の局部周波数ｆa や周辺ゾーン受信電界レベル測定用の局部周波数ｆb を生成する構成としては、２個の局部発振器と１個のミキサ回路とから構成することに限らず、実装スペースや重量の問題を解消することが可能であれば、これよりも多い個数の局部発振器とミキサ回路とから構成しても良い。
【００６９】
また、第２実施例においても、第１の局部周波数ｆp や第２の局部周波数ｆq を生成する構成としては、２個の局部発振器と１個のミキサ回路とから構成することに限らず、実装スペースや重量の問題を解消することが可能であれば、これよりも多い個数の局部発振器とミキサ回路とから構成しても良い。
各周波数の値は、実施例に記載された値に限らず、他の値であっても良い。
【図面の簡単な説明】
【図１】本発明の第１実施例を示すブロック構成図
【図２】タイムチャート
【図３】本発明の第２実施例を示す図１相当図
【図４】従来例を示す図１相当図
【符号の説明】
図面中、１１は携帯電話装置（無線通信装置）、１３，１４は局部発振器（連続受信用の複数の発振手段）、１５はミキサ回路（連続受信用の混合手段）、１７，１８は局部発振器（周辺ゾーン受信電界レベル測定用の複数の発振手段）、１９はミキサ回路（周辺ゾーン受信電界レベル測定用の混合手段）、２０はスイッチ回路（切替手段）、２１はミキサ回路（受信用の混合手段）、２３は復調回路（復調手段）、２４は制御回路（制御手段）、３１は携帯電話装置（無線通信装置）、３２は第１の受信系（一の受信系）、３３は第２の受信系（他の受信系）、３５，３６は局部発振器（一の複数の発振手段）、３７はミキサ回路（一の混合手段）、３９はミキサ回路（一の受信用の混合手段）、４０は復調回路（復調手段）、４２，４３は局部発振器（他の複数の発振手段）、４４はミキサ回路（他の混合手段）、４６はミキサ回路（他の受信用の混合手段）、４７は復調回路（復調手段）、４８は制御回路（制御手段）である。
【図１】
0004096451.tif 000002
【図２】
0004096451.tif 000003
【図３】
0004096451.tif 000004
【図４】
0004096451.tif 000005